(57)【要約】      （修正有）【課題】市販パソコンは、バンドルソフトだけをアップグレードしても、新品パソコンを買うより高い場合が多く再利用のメリットがない。しかしアップグレード費用不要のパソコンは、現在殆ど市販されていないし、そのマーケットも殆どない。そこで、パソコンの廃棄を減量できるマーケットを創造し、地球温暖化防止（京都議定書）を推進できるビジネス方法を構築する事を課題とする。【解決手段】アップグレード費用ゼロのパソコンを市販、ユーザーの買い換えによる廃棄処分を抑制する一方、市販パソコンをブラウザー専用パソコンに改造し、第三者掲載権を設定したホームページの表示装置として使用する事でマーケットを創造し、パソコンのリユースを促進する。更にこれと不用品展示販売コーナーとを盛業店舗等に設置し不用品の委託展示販売を行い、一般不用品のリユースも促進する事で課題の解決を図る。【選択図】図１
2004272417.tif 000002
【特許請求の範囲】
【請求項１】
ホームページをその所有者が専用掲載権を持つ部分と、第３者が掲載権を持つ部分と、共用で使用する部分とに分割し、それぞれの掲載権、掲載内容とその表示方法を規定するホームページ掲載権設定手順と、前記第３者掲載権を売買する協力者に電子メール名を付与し管理する電子メール名を利用した営業管理手順と、前記ブラウザー専用パソコンの製造手順と、ホームページの開設を希望するユーザーが、前記第３者掲載権設定付ホームページを開設し利用する事を条件に、前記ブラウザー専用パソコンを無償又は有償でユーザーに譲渡もしくは貸し出す手順と、ホームページに掲載する商品又はサービスの提供場所付近に前記ブラウザー専用パソコンを設置し、近隣の顧客を対象に営業する手順と、前記ブラウザー専用パソコンを包含する不用品展示コーナーユニットの製造手順と、事業所内に前記不用品展示コーナーユニットを設置し、近隣住民の不用品を委託展示販売し、その管理をホームページを利用し省力化した委託品受託販売業務管理手順とのうち少なくとも一手順以上を有する事を特徴とする  リユースを促進するビジネス方法。
【請求項２】
前記「請求項１」において、ホームページ所有者が掲載権を持つ専用掲載部分には、所有者自身の情報、その取扱商品情報、その取扱サービスの情報、その意見情報、お知らせ情報のうち少なくとも一情報以上に関する、文字による案内、映像による案内、音声による案内のうち少なくとも一案内以上を掲載する専用掲載部分を少なくとも一部分以上含み、第３者が掲載権を持つ第３者掲載部分には、第３者としてその掲載権を取得した少なくとも１名以上の第３者の当事者情報、その当事者の取扱商品情報、その当事者の取扱サービス情報、その当事者の意見情報、その当事者によるお知らせ情報のうち少なくとも一情報以上に関する、文字による案内、映像による案内、音声による案内のうち少なくとも一案内以上を表示する第３者掲載部分を少なくとも一部分以上含み、そして共用部分には、所有者、前記第３掲載権取得者、及びその関係者のうち少なくとも一名以上の当事者情報、当事者共通のモットー情報、福引抽選システム情報のうち少なくとも一情報以上を掲載する共用部分を少なくとも一部分以上含み、これら各部分をそれぞれ１ページ大以上に拡張もしくは拡大したページを少なくとも１ページ以上掲載し、これを、交互に又はランダムもしくは順番に一定時間表示しこれを繰り返す表示方法を含むホームページ掲載権設定手順を有する事を特徴とするビジネスの方法。
【請求項３】
前記「請求項１」において、ユーザーに第３者掲載権付ホームページにを開設しこれを売買するには、そのホームページを開設しユーザーに提供するホームページ営業者もしくはその指定人があらかじめ第３者掲載権の販売権を留保しこれを自ら行使し売買するか、販売協力者を募り売買するか、販売協力者を募り売買しその販売協力者をして販売協力者を募り売買せしめるかのいずれか一つ以上の方法か、ホームページ所有者もしくはその指定人がホームページ営業者が留保した第３者の掲載権の販売権を買い取り自ら売買するかもしくは販売協力者を募り売買するか販売協力者を募り売買しその販売協力者をして販売協力者を募り売買せしめるかのいずれか一つ以上の方法かのうち少なくとも一つ以上の方法によるものとし、その管理を省力化する為、それぞれの当事者にユニークな電子メール識別名を付与しこれを連結しもしくはこの電子メール識別名を含む電子メールアドレスを付与し、販売協力者の登録、そのリクルート順位、そのランク、その昇級課程、手数料発生原因の内容に関する同報通知、手数料額、手数料支払先の営業管理に利用する自動もしくは手動で行う手順を有する事を特徴とする  リユースを促進するビジネス方法。
【請求項４】
前記「請求項１」において、製造もしくは改造するブラウザー専用パソコンはすべて、パソコン部分、筐体部分、ソフト部分で構成され、新ブラウザー専用パソコンのパソコン部分は、ＣＰＵ、チップセット、専用基礎入出力ソフト（以下、ＢＩＯＳという）用メモリー、主メモリー、ネットワーク用チップセット、ビデオ用チップセット及びビデオメモリーを含むマザーボードと、カソードレイチューブ（ＣＲＴ）モニター、液晶モニター、プラズマディスプレイ、プロジェクター、及び類似する表示部品のうち少なくとも一つ以上の表示部と、キーボード、マウス、タッチパネル、リモートコントロールキーボード、リモートコントロールマウス、音声入力システム、ペン入力装置、ソフトウエアキーボード、及びこれに類似する入力装置のうち少なくとも一つ以上の入力部で構成され、筐体部分は、拡声器、画面拡大レンズ、拡大フィルム、防護フィルム、防水カバー、防滴カバー、防護カバー、ケース、スタンド台、バッテリー、燃料電池、太陽光充電パネル、風力発電パネルのうち少なくとも一つ以上を任意に組み合わせた部分で構成され、ソフト部分は、オペレーティングシステム及びブラウザー部、制御ソフト部のうち少なくとも一つ以上の部分で構成され、これらすべてに新品部品を使用した新ブラウザー専用パソコンを製造するか、パソコン部分を市販パソコン機器を改造し代用する部分を含む改造ブラウザー専用パソコンを製造するか、ケータイ電話用送受信ユニット（ＣＤＭＡユニット，ＰＨＳユニット、等のうち少なくとも一つ以上の送受信ユニット）を搭載した小型マザーボードに、半径１００ｍ以内で使用される市販パソコン機器において、ユニフォームリソースロケーター（ＵＲＬ）及び登録口座名、登録車両番号、登録コード名、登録品名、登録品番のうちいずれか一つ以上及び電子メールアドレス（以下、ＵＲＬ・アドレスという）を受信、選択し、これを取込、記憶できる機能を内蔵する  ＵＲＬ・アドレス送受信用高周波（ＲＦ）モジュール及びスイッチプレクサーから構成されるＵＲＬ・アドレス送受信ユニットを付加搭載した小型マザーボードを含む超小型パソコン部分と、小型ケータイ電話型筐体部分と、ソフト部分で構成されるＵＲＬ・アドレス送受信機能付新ケータイ電話を製造するか、前記ケータイ電話用送受信ユニットか、ブルートゥース送受信ユニットか少なくとも一ユニット以上を前記同様、半径１００ｍ以内で使用される市販パソコン機器において、ＵＲＬ・アドレスを受信、選択し、これを取込、記憶できるよう改造したものを搭載した小型マザーボードを含む超小型改造パソコン部分と、小型ケータイ電話型筐体部分と、ソフト部分で構成されるＵＲＬ・アドレス送受信機能付改造ケータイ電話を製造するか、もしくは前記新ブラウザー専用パソコンにＵＲＬ・アドレス送受信機能を付加したＵＲＬ・アドレス送受信機能付新ブラウザー専用パソコンを製造するか、前記改造ブラウザー専用パソコンにＵＲＬ・アドレス送受信機能を付加したＵＲＬ・アドレス送受信機能付改造ブラウザー専用パソコンを製造するかのうち少なくとも一つ以上の装置を製造する手順を有する事を特徴とするビジネスの方法。
【請求項５】
前記「請求項１」において、ホームページの開設を希望するユーザーが、ホームページ営業者より、無償又は有償で第３者掲載権設定付ホームページの開設提供を受け、その第３者掲載権の販売権を前記ホームページ営業者しくはその指定人に無償譲渡し、その譲受人がその販売権を自由に行使する事を認諾する事を条件とするか、もしくはユーザーに無償又は有償で第３者掲載権設定付ホームページを開設提供したホームページ営業者が、その第３者掲載権の販売権を留保し、これを自由に行使する事をユーザーが認諾する事を条件にするかいずれか一方を条件として、前記ブラウザー専用パソコンを、無償又は有償でユーザーに譲渡或いは貸し出す手順と、これを受けたユーザーが、自己がホームページ上で掲載する商品又はサービスの提供場所の入口付近、郵便受付近、表札付近、看板付近、入口の植え込み、ガレージ付近、待合付近、ショーウインドー付近、駐車場付近等人目に付きやすい場所に、このブラウザー専用パソコンを設置し、「請求項２」の前記表示手順によりその営業内容を掲載したホームページを表示しながら、その近隣の顧客の用に供し、当該顧客がこれを利用し或いは自らのケータイ電話を利用し、あらかじめそれぞれの商品又はサービスに明示された、ユニークなＵＲＬ、品名、品番、コード名のうちいずれか一つ以上の識別子を入力し検索する事により、直にその営業内容のリストもしくは個別情報が取り出せるよう設定し、営業する手順とを有する事を特徴とする  リユースを促進するビジネス方法。
【請求項６】
前記「請求項５」において、ホームページを開設したユーザーが、車両を商品又はサービスの提供場所とし、前記ブラウザー専用パソコン及びＵＲＬ・アドレスを、その車両のドア、トランク、バンパー、ナンバープレート、車体天井、車内の人目に付きやすい場所に掲示もしくは設置し、前記「請求項２」の手順により営業内容を掲載したホームページを表示しながら、あらかじめ車両番号をＵＲＬとして登録するかもしくは車両登録番号を口座名として登録し、近隣車両の搭乗者及び通行人を顧客対象とし、これら顧客がこのブラウザー専用パソコンを利用し或いは自らのケータイ電話もしくは車載パソコンもしくは市販パソコン機器を利用し、この車両登録番号を入力し検索すると直にその営業内容のリストもしくは個別情報を取り出せるよう設定し営業する手順を有する事を特徴とする  リユースを促進するビジネス方法。
【請求項７】
前記「請求項５」において、ホームページを開設したユーザーが、船舶もしくは航空機を商品又はサービスの提供場所とし、前記ブラウザー専用パソコン及びＵＲＬ・アドレスを船内の人目に付きやすい場所に掲示もしくは設置し、前記「請求項２」の手順により営業内容を掲載したホームページを表示しながら、船内の顧客がこのブラウザー専用パソコンを利用し或いは自らのケータイ電話もしくは市販パソコン機器を利用し、あらかじめ提供するそれぞれの商品又はサービスに明示された、ユニークなＵＲＬ、品名、品番、コード名のうちいずれか一つ以上の識別子を入力し検索する事により、直にその個別情報が取り出せるよう設定し営業する手順を有する事を特徴とする  リユースを促進するビジネス方法。
【請求項８】
前記「請求項５」において、ホームページを開設したユーザーが、前記小型ブラウザー専用パソコンもしくはＵＲＬ・アドレスを、バッグ、衣服、帽子、靴、ベルト、アクセサリー等人目に付きやすい部分につけ、前記「請求項２」の手順により営業内容を掲載したホームページ又はＵＲＬ・アドレスを行き交う顧客に表示しながら行商し、これら行き交う顧客が自らのケータイ電話もしくは市販パソコン機器にこのＵＲＬ・アドレスを入力し検索すると直にその営業内容のリストもしくは個別情報を取り出せるよう設定し営業する手順を有する事を特徴とするリユースを促進するビジネス方法。
【請求項９】
前記「請求項１」において製造する不用品展示コーナーユニットは、前記ブラウザー専用パソコン、市販プリンター、市販タイムスタンパー、ボックス棚、ハンガー、壁掛棚、及びＵＲＬ・アドレス掲示部分を含む不用品展示コーナーユニットを一体としこれを設置場所の面積に応じて複数個連結設置できるよう設計された不用品展示コーナーユニットでありこれを製造する手順を有する事を特徴とする  リユースを促進するビジネス方法。
【請求項１０】
前記「請求項１」において規定する委託品受託販売業務管理には、前記「請求項８」において製造された不用品展示コーナーユニットを、任意の事業所に無償又は有償で譲渡もしくは貸し出し、当該事業所関係者及び近隣住民の不用品の委託展示を受入れそのリユースを図り地球温暖化防止（京都議定書）に貢献する事を営業目的とし、その委託品の受託業務、その展示品の詳細説明、その取引条件の変更、売上処理、商品引き取り、代金支払い、領収証発行業務に関する管理者負担が軽減できるよう、委託者に次の条件を設定しホームページを利用せしめその管理業務を行う事とし、委託品の受託に関しては、委託者自らに委託品に個別識別子を添付の上展示せしめる事を条件とし、その不用品展示コーナー管理者の展示業務負担を軽減する事、その委託品に添付した識別子を付帯する前記ブラウザー専用パソコンもしくは顧客のケータイ電話に入力する事でその商品内容詳細が表示されるよう、展示商品別ホームページを委託者自ら作成せしめる事を条件とし、当該管理者の商品内容把握負担を軽減する事、委託者がケータイ電子メールを使用できる事を条件とし、ホームページ上に掲載された取引条件に関する交渉が買い主と遠隔地の委託者との間で必要となっても、この電子メールを利用しその交渉を直に可能とならしめる事により、当該管理者の応対負担を軽減する事、取引条件の変更が確定すればこれを委託者が直にホームページを更新し反映させる事を条件とし、当事者間の誤解発生を排除し、当該管理者責任を軽減する事、委託者は買い主に対し商品の購入には、あらかじめ作成された商品別ホームページを付帯プリンター設備を利用し２部印刷し、１部を管理者に売上伝票の代用品として代金と共に引き渡し、１部は管理者の捺印を得て領収証とする事を取引条件としこれをホームページ上で明示徹底する事を条件とし、当該管理者の事務処理負担を軽減する事のうち少なくとも一つ以上を含む事を委託品受託販売業務管理手順とする事を特徴とするビジネスの方法。
【請求項１１】
前記「請求項２」において、売買当事者が利用できる福引抽選システムは、当事者が合意すれば、何人の意思も及ばない公平な数字合わせアメリカ式ビンゴゲーム、数字合わせアメリカ式キーノゲーム（ＫＥＮＯ），数字合わせドイツ式ロタミントゲーム、数字合わせ日本式ロトゲーム、絵合わせ式スロットマシンゲーム、及び類似するゲームのうち少なくとも一つ以上をホームページの共用部分に常に表示し、少なくとも福引抽選が「請求項２」において繰り返し表示されるすべてのサイクルに一度以上表示されるよう設定し、当事者がこれを何時でも直に利用できるよう提供する事を特徴とする  リユースを促進するビジネス方法。
【発明の詳細な説明】
【０００１】
【発明の属する技術分野】
インターネットに関する情報処理技術、及びコンピューターの設計・製造技術、基礎入出力プログラム（ＢＩＯＳ）関連技術，ＣＧＩプログラム作成技術
【０００２】
【従来の技術】
ソフトがなければ只の箱と言われるパソコンは、ハード部分は買換えずバンドルされたソフトだけをアップグレードしても、新品パソコンを買うより高い場合が多くその再利用のメリットがない。しかしアップグレード費用不用の無償ソフトだけのパソコンは殆ど市販されていないし、その機能のみで満足するマーケットも現在は殆どない。その結果、パソコンが廃棄され地球環境を汚染している。
【０００３】
【発明が解決しようとする課題】
そこで、アップグレード費用が不用な無償ソフトのみをバンドルした、新ブラウザー専用パソコン機器を発売し、そのユーザーの買い換えを抑制しパソコン廃棄数を減量する一方、現在の市販パソコンをブラウザー専用パソコンに改造し、第三者掲載権を設定したホームページの表示装置として使用する事でマーケットを創造し、廃棄パソコンのリユースを促進する事、併せ他の不用品のリユースも促進し、地球温暖化防止（京都議定書）に貢献できるビジネス方法を構築する事を課題とする。
【０００４】
【課題を解決するための手段】
ホームページをその所有者が専用掲載権を持つ部分と、第３者が掲載権を持つ部分と、共用で使用する部分とに分割し、それぞれの掲載権、掲載内容とその表示方法を規定するホームページ掲載権設定手順と、前記第３者掲載権を売買する協力者に電子メール名を付与し管理する電子メール名を利用した営業管理手順と、前記ブラウザー専用パソコンの製造手順と、ホームページの開設を希望するユーザーが、前記第３者掲載権設定付ホームページを開設し利用する事を条件に、前記ブラウザー専用パソコンを無償又は有償でユーザーに譲渡もしくは貸し出す手順と、ホームページに掲載する商品又はサービスの提供場所付近に前記ブラウザー専用パソコンを設置し、近隣の顧客を対象に営業する手順と、前記ブラウザー専用パソコンを包含する不用品展示コーナーユニットの製造手順と、事業所内に前記不用品展示コーナーユニットを設置し、近隣住民の不用品を委託展示販売し、その管理をホームページを利用し省力化した委託品受託販売業務管理手順とのうち少なくとも一手順以上を有する事を特徴とするビジネス方法。
【０００５】
前記「０００４」において、ホームページ所有者が掲載権を持つ専用掲載部分には、所有者自身の情報、その取扱商品情報、その取扱サービスの情報、その意見情報、お知らせ情報のうち少なくとも一情報以上に関する、文字による案内、映像による案内、音声による案内のうち少なくとも一案内以上を掲載する専用掲載部分を少なくとも一部分以上含み、第３者が掲載権を持つ第３者掲載部分には、第３者としてその掲載権を取得した少なくとも１名以上の第３者の当事者情報、その当事者の取扱商品情報、その当事者の取扱サービス情報、その当事者の意見情報、その当事者によるお知らせ情報のうち少なくとも一情報以上に関する、文字による案内、映像による案内、音声による案内のうち少なくとも一案内以上を表示する第３者掲載部分を少なくとも一部分以上含み、そして共用部分には、所有者、前記第３掲載権取得者、及びその関係者のうち少なくとも一名以上の当事者情報、当事者共通のモットー情報、福引抽選システム情報のうち少なくとも一情報以上を掲載する共用部分を少なくとも一部分以上含み、これら各部分をそれぞれ１ページ大以上に拡張もしくは拡大したページを少なくとも１ページ以上掲載し、これを、交互に又はランダムもしくは順番に一定時間表示しこれを繰り返す表示方法を含むホームページ掲載権設定手順を有する事を特徴とするビジネスの方法。
【０００６】
前記「０００４」において、ユーザーに第３者掲載権付ホームページにを開設しこれを売買するには、そのホームページを開設しユーザーに提供するホームページ営業者もしくはその指定人があらかじめ第３者掲載権の販売権を留保しこれを自ら行使し売買するか、販売協力者を募り売買するか、販売協力者を募り売買しその販売協力者をして販売協力者を募り売買せしめるかのいずれか一つ以上の方法か、ホームページ所有者もしくはその指定人がホームページ営業者が留保した第３者の掲載権の販売権を買い取り自ら売買するかもしくは販売協力者を募り売買するか販売協力者を募り売買しその販売協力者をして販売協力者を募り売買せしめるかのいずれか一つ以上の方法かのうち少なくとも一つ以上の方法によるものとし、その管理を省力化する為、それぞれの当事者にユニークな電子メール識別名を付与しこれを連結しもしくはこの電子メール識別名を含む電子メールアドレスを付与し、販売協力者の登録、そのリクルート順位、そのランク、その昇級課程、手数料発生原因の内容に関する同報通知、手数料額、手数料支払先の営業管理に利用する自動もしくは手動で行う手順を有する事を特徴とするビジネス方法。
【０００７】
前記「０００４」において、製造もしくは改造するブラウザー専用パソコンはすべて、パソコン部分、筐体部分、ソフト部分で構成され、新ブラウザー専用パソコンのパソコン部分は、ＣＰＵ、チップセット、専用基礎入出力ソフト（以下、ＢＩＯＳという）用メモリー、主メモリー、ネットワーク用チップセット、ビデオ用チップセット及びビデオメモリーを含むマザーボードと、カソードレイチューブ（ＣＲＴ）モニター、液晶モニター、プラズマディスプレイ、プロジェクター、及び類似する表示部品のうち少なくとも一つ以上の表示部と、キーボード、マウス、タッチパネル、リモートコントロールキーボード、リモートコントロールマウス、音声入力システム、ペン入力装置、ソフトウエアキーボード、及びこれに類似する入力装置のうち少なくとも一つ以上の入力部で構成され、筐体部分は、拡声器、画面拡大レンズ、拡大フィルム、防護フィルム、防水カバー、防滴カバー、防護カバー、ケース、スタンド台、バッテリー、燃料電池、太陽光充電パネル、風力発電パネルのうち少なくとも一つ以上を任意に組み合わせた部分で構成され、ソフト部分は、オペレーティングシステム及びブラウザー部、制御ソフト部のうち少なくとも一つ以上の部分で構成され、これらすべてに新品部品を使用した新ブラウザー専用パソコンを製造するか、パソコン部分を市販パソコン機器を改造し代用する部分を含む改造ブラウザー専用パソコンを製造するか、ケータイ電話用送受信ユニット（ＣＤＭＡユニット，ＰＨＳユニット、等のうち少なくとも一つ以上の送受信ユニット）を搭載した小型マザーボードに、半径１００ｍ以内で使用される市販パソコン機器において、ユニフォームリソースロケーター（ＵＲＬ）及び登録口座名、登録車両番号、登録コード名、登録品名、登録品番のうちいずれか一つ以上及び電子メールアドレス（以下、ＵＲＬ・アドレスという）を受信、選択し、これを取込、記憶できる機能を内蔵する  ＵＲＬ・アドレス送受信用高周波（ＲＦ）モジュール及びスイッチプレクサーから構成されるＵＲＬ・アドレス送受信ユニットを付加搭載した小型マザーボードを含む超小型パソコン部分と、小型ケータイ電話型筐体部分と、ソフト部分で構成されるＵＲＬ・アドレス送受信機能付新ケータイ電話を製造するか、前記ケータイ電話用送受信ユニットか、ブルートゥース送受信ユニットか少なくとも一ユニット以上を前記同様、半径１００ｍ以内で使用される市販パソコン機器において、ＵＲＬ・アドレスを受信、選択し、これを取込、記憶できるよう改造したものを搭載した小型マザーボードを含む超小型改造パソコン部分と、小型ケータイ電話型筐体部分と、ソフト部分で構成されるＵＲＬ・アドレス送受信機能付改造ケータイ電話を製造するか、もしくは前記新ブラウザー専用パソコンにＵＲＬ・アドレス送受信機能を付加したＵＲＬ・アドレス送受信機能付新ブラウザー専用パソコンを製造するか、前記改造ブラウザー専用パソコンにＵＲＬ・アドレス送受信機能を付加したＵＲＬ・アドレス送受信機能付改造ブラウザー専用パソコンを製造するかのうち少なくとも一つ以上の装置を製造する手順を有する事を特徴とするビジネスの方法。
【０００８】
前記「０００４」おいて、ホームページの開設を希望するユーザーが、ホームページ営業者より、無償又は有償で第３者掲載権設定付ホームページの開設提供を受け、その第３者掲載権の販売権を前記ホームページ営業者しくはその指定人に無償譲渡し、その譲受人がその販売権を自由に行使する事を認諾する事を条件とするか、もしくはユーザーに無償又は有償で第３者掲載権設定付ホームページを開設提供したホームページ営業者が、その第３者掲載権の販売権を留保し、これを自由に行使する事をユーザーが認諾する事を条件にするかいずれか一方を条件として、前記ブラウザー専用パソコンを、無償又は有償でユーザーに譲渡或いは貸し出す手順と、これを受けたユーザーが、自己がホームページ上で掲載する商品又はサービスの提供場所の入口付近、郵便受付近、表札付近、看板付近、入口の植え込み、ガレージ付近、待合付近、ショーウインドー付近、駐車場付近等人目に付きやすい場所に、このブラウザー専用パソコンを設置し、「０００５」の前記表示手順によりその営業内容を掲載したホームページを表示しながら、その近隣の顧客の用に供し、当該顧客がこれを利用し或いは自らのケータイ電話を利用し、あらかじめそれぞれの商品又はサービスに明示された、ユニークなＵＲＬ、品名、品番、コード名のうちいずれか一つ以上の識別子を入力し検索する事により、直にその営業内容のリストもしくは個別情報が取り出せるよう設定し、営業する手順とを有する事を特徴とするビジネス方法。
【０００９】
前記「０００８」において、ホームページを開設したユーザーが、車両を商品又はサービスの提供場所とし、前記ブラウザー専用パソコン及びＵＲＬ・アドレスを、その車両のドア、トランク、バンパー、ナンバープレート、車体天井、車内の人目に付きやすい場所に掲示もしくは設置し、前記「０００５」の手順により営業内容を掲載したホームページを表示しながら、あらかじめ車両番号をＵＲＬとして登録するかもしくは車両登録番号を口座名として登録し、近隣車両の搭乗者及び通行人を顧客対象とし、これら顧客がこのブラウザー専用パソコンを利用し或いは自らのケータイ電話もしくは車載パソコンもしくは市販パソコン機器を利用し、この車両登録番号を入力し検索すると直にその営業内容のリストもしくは個別情報を取り出せるよう設定し営業する手順を有する事を特徴とするビジネス方法。
【００１０】
前記「０００８」において、ホームページを開設したユーザーが、船舶もしくは航空機を商品又はサービスの提供場所とし、前記ブラウザー専用パソコン及びＵＲＬ・アドレスを船内の人目に付きやすい場所に掲示もしくは設置し、前記「０００５」の手順により営業内容を掲載したホームページを表示しながら、船内の顧客がこのブラウザー専用パソコンを利用し或いは自らのケータイ電話もしくは市販パソコン機器を利用し、あらかじめ提供するそれぞれの商品又はサービスに明示された、ユニークなＵＲＬ、品名、品番、コード名のうちいずれか一つ以上の識別子を入力し検索する事により、直にその個別情報が取り出せるよう設定し営業する手順を有する事を特徴とするビジネス方法。
【００１１】
前記「０００８」において、ホームページを開設したユーザーが、前記小型ブラウザー専用パソコンもしくはＵＲＬ・アドレスを、バッグ、衣服、帽子、靴、ベルト、アクセサリー等人目に付きやすい部分につけ、前記「０００５」の手順により営業内容を掲載したホームページ又はＵＲＬ・アドレスを行き交う顧客に表示しながら行商し、これら行き交う顧客が自らのケータイ電話もしくは市販パソコン機器にこのＵＲＬ・アドレスを入力し検索すると直にその営業内容のリストもしくは個別情報を取り出せるよう設定し営業する手順を有する事を特徴とするビジネス方法。
【００１２】
前記「０００４」において、製造する不用品展示コーナーユニットは、前記ブラウザー専用パソコン、市販プリンター、市販タイムスタンパー、ボックス棚、ハンガー、壁掛棚、及びＵＲＬ・アドレス掲示部分を含む不用品展示コーナーユニットを一体としこれを設置場所の面積に応じて複数個連結設置できるよう設計された不用品展示コーナーユニットでありこれを製造する手順を有する事を特徴とするビジネス方法。
【００１３】
前記「０００４」において、規定する委託品受託販売業務管理には、前記「００１２」において製造された不用品展示コーナーユニットを、任意の事業所に無償又は有償で譲渡もしくは貸し出し、当該事業所関係者及び近隣住民の不用品の委託展示を受入れそのリユースを図り地球温暖化防止（京都議定書）に貢献する事を営業目的とし、その委託品の受託業務、その展示品の詳細説明、その取引条件の変更、売上処理、商品引き取り、代金支払い、領収証発行業務に関する管理者負担が軽減できるよう、委託者に次の条件を設定しホームページを利用せしめその管理業務を行う事とし、委託品の受託に関しては、委託者自らに委託品に個別識別子を添付の上展示せしめる事を条件とし、その不用品展示コーナー管理者の展示業務負担を軽減する事、その委託品に添付した識別子を付帯する前記ブラウザー専用パソコンもしくは顧客のケータイ電話に入力する事でその商品内容詳細が表示されるよう、展示商品別ホームページを委託者自ら作成せしめる事を条件とし、当該管理者の商品内容把握負担を軽減する事、委託者がケータイ電子メールを使用できる事を条件とし、ホームページ上に掲載された取引条件に関する交渉が買い主と遠隔地の委託者との間で必要となっても、この電子メールを利用しその交渉を直に可能とならしめる事により、当該管理者の応対負担を軽減する事、取引条件の変更が確定すればこれを委託者が直にホームページを更新し反映させる事を条件とし、当事者間の誤解発生を排除し、当該管理者責任を軽減する事、委託者は買い主に対し商品の購入には、あらかじめ作成された商品別ホームページを付帯プリンター設備を利用し２部印刷し、１部を管理者に売上伝票の代用品として代金と共に引き渡し、１部は管理者の捺印を得て領収証とする事を取引条件としこれをホームページ上で明示徹底する事を条件とし、当該管理者の事務処理負担を軽減する事のうち少なくとも一つ以上を含む事を委託品受託販売業務管理手順とする事を特徴とするビジネスの方法。
【００１４】
前記「０００５」において、売買当事者が利用できる福引抽選システムは、当事者が合意すれば、何人の意思も及ばない公平な数字合わせアメリカ式ビンゴゲーム、数字合わせアメリカ式キーノゲーム（ＫＥＮＯ），数字合わせドイツ式ロタミントゲーム、数字合わせ日本式ロトゲーム、絵合わせ式スロットマシンゲーム、及び類似するゲームのうち少なくとも一つ以上をホームページの共用部分に常に表示し、少なくとも福引抽選が「０００５」において繰り返し表示されるすべてのサイクルに一度以上表示されるよう設定し、当事者がこれを何時でも直に利用できるよう提供する事を特徴とするビジネス方法。
【００１５】
【発明実施の形態】
図面によって本発明の実施例について詳述すると、「図１」の［Ａ］は、本発明の包含する手順をフローチャートで示したものであり、課程１）の点線で示す部分は、新しく開発製造される新ブラウザー専用パソコン及びＵＲＬ・アドレス送受信機能付新ケータイ電話、及び市販のパソコン機能を持つ機器を例示したものであり、パソコン、ケータイ電話、携帯パソコン、ゲーム機、プリンター、コピー機等を含むものである。（２）は、この市販パソコンに施すソフト的改造（全ソフトの削除、無償ソフトの組込等課程）であり、（３）は、これにハード的改造（防護カバー、拡大レンズ、拡大フィルムの付加、スタンド台、バッテリー、太陽光充電装置等の任意の組み合わせ）を付加する課程、及び送受信装置を持つケータイ電話機器など（以下ケータイ電話という）の送信機部分を改造する課程である。（４）は、ユーザーがその掲載使用権を持たない部分を設定したホームページ（１４）を開設する事等を条件に、これらブラウザー専用パソコンを、無償又は廉価でユーザーに譲渡もしくは貸し出す課程である。（５）は、このブラウザー専用パソコンを、商品又はサービスを提供できる場所に近接設置し、そのホームページを表示しながら営業する場所を選択する課程である。（６）は、近隣住民、通行人、訪問客を主たる顧客とし、前記のＵＲＬ・アドレス、  ＵＲＬ・アドレス送信専用改造ケータイ電話、及びブラウザー専用パソコンを自宅・店舗の人目につきやすい場所に設置し営業する例である。（７）は、車両等移動体に、ＵＲＬ・アドレスと車両登録番号を掲示し、ＵＲＬ・アドレス送信専用改造ケータイ電話及びブラウザー専用パソコンを車両天井など人目につきやすい場所に設置し、後続車或いは近隣通行人を主たる顧客として営業する例である。更に（８）は、歩行者が商品を携帯し或いはサービスを自ら提供し、ＵＲＬ・アドレス送受信機能付改造ケータイ電話を身につけその提供品のホームページ及びＵＲＬ・アドレスを表示しながら、行商する例である。（９）は、ＵＲＬ・アドレス送受信機能付改造ケータイ電話、ＵＲＬ・アドレス送受信機能付車載パソコンに、その半径１００ｍ以内にあるＵＲＬ・アドレス送受信機器からの放送を受信し、これを選択、取り込み、記憶し、ユーザーの販売商品又はサービスの営業内容を確認しこれを選択、購入する直前の課程である。（１０）は、特に、不用品展示コーナーユニットを設置し委託展示販売を行う等の場合において、ホームページ上で提供される商品などの売買条件等に不満を抱いた購入者が、遠隔地にいる売り主と条件交渉をおこなった結果合意に達した場合に、即取引できるようこれを数分以内にホームページ上にこれを確定表示する課程である。そして（１１）は取引時、当該ホームページを印刷し売上伝票、領収証として利用する売上処理課程である。（１２）は取引終了後福引き抽選システムを利用する課程である。（１３）は、不用品展示コーナーユニットを設置し、委託展示販売を希望する委託者の登録、商品展示等を省力化する受託管理課程である。一方、［Ｂ］図は，ホームページ営業者が、ユーザーにブラウザー専用パソコンを無償又は有償で譲渡もしくは貸し出す条件として開設せしめたホームページ（１４）の概要���示すものであり、ユーザー専用掲載部分（１７）、第３者のその掲載権がある第３者掲載部分（１８）、及びロゴ、福引抽選案内及びホームページに責任を負うウェブマスター等の表示を行う共用部分（１６）を含む第１ページ（１５）、及びユーザーの専用掲載部分（１７）を拡大した部分（２０）及び拡張した部分（２１）を含む第２ページ（１９）、及びこのユーザーのエコ活動に協賛し、第３者掲載権を購入した奉加協賛者の掲載部分を拡大、拡張し、これを順番に或いはランダムに表示する第３のページ（２２）、及び共用部分に掲載する福引き抽選システムを提供する第４のページ（２３）を示したものである。更に、表示例として、第１ページは３０秒、第２ページは１分間、第３ページも１分間、そして第４ページを利用するとして、これを１分３０秒表示し、これを１サイクルといい、常にこれを繰り返し表示するものである。勿論、図［Ｂ］の表示は例であり、追加ページの表示も、ページ数の削減もそれぞれの表示時間を調整する事も任意である。
更に、（２４）は、この第３者掲載権を販売し、同購入者情報をユーザーの第３者掲載部へ掲載する課程であり、（２５）はこの販売従事者を電子メール名を利用し、手数料発生同報通知、同支払管理等を行う課程である。
【００１６】
「図２」の［Ａ］の点線部分は、新開発のマザーボード（１）、ＣＰＵ（２）、チップセット（３），入出力制御ソフトを焼き付けたＢＩＯＳ（４），主メモリー（５）ネットワーク用チップセット（６）、ビデオ用チップセット（７）等を具備したマザーボードに、電源（８）、画像ブラウザー専用パソコンの例として、液晶モニター（９）を、拡声器（１０）、入力装置の例としてペン入力装置（１１）を装備し、これを筐体（１２）に設置、更に、拡大レンズ兼防水カバー（１３）、着脱式太陽光充電パネル（１４）、スタンド台（１５）、バッテリー（１６）を取り付け、これに無償ＬＩＮＵＸオペレーティングシステム（１７）及び無償ブラウザーソフト（１８）及び制御ソフト（１９）を組込まれ構成された新ブラウザー専用パソコン（２０）の例である。更に、これにＵＲＬ・アドレス送受信ユニット（２９）を付加したものが「図２」の［Ａ］のＵＲＬ・アドレス送受信機能付新ブラウザー専用パソコン（３０）の例である。このＵＲＬ・アドレス送受信ユニット部（２８）は、ケータイ電話機能送受信ユニット付小型マザーボード（２１）に、ＵＲＬ・アドレス送受信用高周波（ＲＦ）モジュール（２２）及びマルチバンド制御用スイッチプレクサー（２３）を含むＵＲＬ・アドレス送受信ユニット（２９）を搭載しており、これをアンテナ部付筐体（２４）に取り付け、組込用ＬＩＮＵＸオペレーティングシステム（２５）、ブラウザーソフト（２６）及び制御ソフト（２７）を組込んだものがＵＲＬ・アドレス送受信機能付ケータイ電話（３０）の例である。
【００１７】
「図３」の［Ａ］は、市販パソコンに（１）に付加するソフト的改造を示す図であり、バンドルされたウインドーズ・オペレーティングシステム（２）又はマック・オペレーティングシステム（３）等の有償オペレーティングシステム、及び組込済ソフト全て（４）を削除し、パソコンの中央演算装置（ＣＰＵ）の性能に余裕があれば、アップグレード費用不用のオペレーティングシステムである無償ＬＩＮＵＸ最新版及び無償モジラー（モジラーブラウザー最新版）もしくはＩＥ（インターネットエクスプローラー  ）（５）を、性能が悪い場合は、それぞれ組込用に改造した軽量版ＬＩＮＵＸ及び軽量版モジラー（６）を組み込み機能改造を行い、ブラウザー専用リユースパソコン（７）に改造した例である。更に［Ｂ］は、被改造ケータイ電話（８）を、そのＢＩＯＳ部分に適法な変更を付加或いはこれを取替（９）、更にフラッシュメモリーの旧データを全部削除し（１０）、その後必要データーを付加し或いは入れ替え（１１）、ＵＲＬ・アドレス送信専用改造ケータイ電話（１２）に改造した例である。
【００１８】
「図４」の［Ａ］は、被改造パソコンの液晶表示部分（１）に、拡大レンズ兼防水カバー（２）、拡声器（３）を付加し、更にスタンド台（４）、バッテリー（５）、及び着脱式太陽光充電パネル（６）を付加し、全天候型屋外用ブラウザー専用パソコン（７）に改造した例である。更に［Ｂ］は、被改造ケータイ電話（８）の送受信部分の出力を変更、調整（９）し、更に、送受信周波数の変更又は調整（１０）及びＢＩＯＳ用メモリーの取替え（１１）、フラッシュメモリーの取替（１２）等を付加し、ＵＲＬアドレス送信専用改造ケータイ電話に改造した例である。
【００１９】
「図５」の［Ａ］は、全天候型屋外用ブラウザー専用パソコン（１）を自宅玄関付近の植え込み（２）に、訪問客（３）、通行人（４）等の人目を引きやすいよう表示画面（５）に角度をつけ設置した例であり、玄関ドア（６）には、ＵＲＬ（７）及び口座名表札（８）を掲示し、更に、このＵＲＬ、口座名、電子メールアドレス等を放送するＵＲＬ・アドレス送信専用改造ケータイ電話（９）を、玄関ドア（６）に設置し、通行人（４）が、自己のケータイ電話（１０）に、このＵＲＬ・アドレスを選択・取り込み、記憶し、後に当該ＵＲＬ・アドレスにアクセスし、その内容を確認できるよう設置している例である。［Ｂ］は，訪問客（３）が、玄関ドア（６）をあけ室内に設置された不用品展示コーナーユニット（１１）に展示された商品（１２）を気に入り、それに添付されたコード番号（１３）を、屋内用ブラウザー専用パソコン（１４）のキーボード（１５）に入力し、売り主のトップページ（［Ｃ］１６）を表示し、その売り主のトップページ専用部分（［Ｃ］１７）に掲載された商品内容、及び自動的に拡声・拡張・拡大され表示される専用部分の頁（［Ｃ］１８）、及び売り主に協賛するメンバー等の奉加名や協賛者の関連掲載やそのホームページリンク等が表示された非専用部分の拡大頁（［Ｃ］１９）、及びその後表示される福引き抽選システムの頁（２０）等が交互に繰り返し表示される画面を眺めながらその内容を確認している例である。更に、図「Ｂ」の訪問客（３）は、商品（１２）が気に入ったもののその価格に不満があり管理者に申し出た処、この売り主は委託展示者であった為、その場で価格交渉ができない状況であった。そこで、売り主の拡張されたホームページ（［Ｃ］の１８）上に記載されている売り主のケータイ電話番号（［Ｃ］２１）宛にメールを送信し値引き交渉を行った。あらかじめ即対応する事を条件に委託している当該売り主は、受けとったメールに値引価格を提示し、直ちに返信した。訪問客（［Ｂ］３）は、その値引価格を是とし合意する旨返信した。すると１分も経過しない内に、当該売り主のトップページ（［Ｃ］１６）及び同専用部分の拡張ホームページ頁（［Ｃ］１８）の表示価格が新価格に変更されその変更日時も明示された。訪問客（［Ｂ］３）は、この最終価格の表示されたホームページを本件屋内用ブラウザー専用パソコン（［Ｂ］１４）に付帯するプリンター（２２）より２部印刷し、代金とともに管理者に支払い管理者は１部を売上伝票とし、１部に管理者の領収印を押し領収書として訪問客（３）に渡した。訪問客である買い主（３）は、売り主ホームページ上に明示されていた福引抽選の１回のチャンスを要求する事とし、管理者に申し出た処、１〜８０番までの数字が印刷された登録用紙を渡され、表示された番号のうち任意の番号を１５個選ぶよう求められた。買い主訪問客（３）は、これを選びマークをつけ管理者に渡した処、本件ブラウザー専用パソコン屋内用（１４）に付帯するタイムスタンプ機（２３）に挿入し登録日時をマーク済登録用紙に印刷し、「このタイムスタンプの次の時刻に表示される福引き抽選の結果が摘要されます。ホームページ上には、数字２０個が２０秒程度で表示されますので、ご確認下さい。もしその内８個以上が合致すれば、規定された景品が当たります。」と言われ、約３分に１度交互に繰り返し表示する画面に見入っていた。約３分後、待望の福引き抽選画面（［Ｃ］２０）が表示され、画面に表示された１〜８０の数字に自動的にランダムに、チェックマークが表示され始め、約２０秒で終了しその静止画面が表示された。直ちにこの静止画面を印刷し後日の証とし、合致番号がないかを管理者と確認した処８個が合致した為、売り主のホームページに表示されていた景品である鉛筆１本を管理者から受け取った。これが、自宅に不用品展示コーナーユニットを設置し、小物フリマ品の展示販売をしている例である。
【００２０】
「図６」は、パソコンのカソード・レイ・チューブ（ＣＲＴ）モニター部分を、玄関ドア（１）横の壁面に埋め込み設置し、更に前面に、防水パネル（２）を設置したブラウザー専用パソコン（３）である。更に、玄関ドア（１）にＵＲＬ（４）、口座名（５）を張り付け、通行人（８）や訪問客（９）が何時でも自分のケータイ電話にこれらを取り込めるよう、ＵＲＬ・アドレス送信専用改造ケータイ電話（６）を郵便受け（７）に設置し、前記同様に、当該ユーザーのトップページと、同専用部分、協賛者の奉加情報を掲載した非専用部分、及び福引き抽選ビンゴゲームのページを交互に繰り返し表示しながら通行人（８）や訪問客（９）の閲覧に供している例である。
【００２１】
「図７」は、ブラウザー専用パソコン（１）を、ユーザーの所有する盛業店舗内の片隅に設置された不用品展示コーナーユニット（２）横に設置した例であり、前記と同様、当該ユーザーのトップページ、委託者の提供したフリマ品（４）のホームページ、協賛者の希望掲載ページを、及び福引き抽選キーノ（ＫＥＮＯ）ゲームのページを拡声・拡張・拡大・交互に繰り返し自動表示しながら通行人にアピールし、購入希望者（３）が不用品展示コーナーユニット（２）に展示されたフリマ品（４）に添付されたコード番号（５）を、本件ブラウザー専用パソコン（１）に入力し、より詳しい展示品ホームページを確認し購入しようとしている例である。購入希望者は、付帯設置されたプリンター（６）を使用し、購入するフリマ品（４）のホームページ（７）を印刷し、売上伝票（８）及び領収証（９）とする例である。更に、委託者（１０）の、新フリマ品（１１）を、不用品展示コーナーユニット（２）に自ら展示し、これに新コード番号タグ（１２）を取り付け、これを、本件ブラウザー専用パソコン（１）を利用し登録、自らホームページを作成し、管理者の受入管理負担をゼロとした例である。
【００２２】
「図８」の［Ａ］及び［Ｂ］は、ブラウザー専用パソコンを車の設置し営業する図であり、［Ａ］はその平面図、［Ｂ］はこれを後部からみた立面図である。この車両を利用する営業方式では、ブラウザー専用パソコン（１）の液晶表示部分（２）を、車内後部ウインドー部分（３）に設置し、更に、拡大フィルム（４）を車両後部ウインドーガラス（５）に張り付け、更にそのフィルム下部に当該車両番号をＵＲＬとするＵＲＬステッカー（６）併せ掲示し、後続車の車載パソコンや、通行人（７）のケータイ電話（８）等からもアクセス可能とし、車載商品である特選品・フリマ品（９）のホームページを閲覧できるよう配慮した例であり、更に、このＵＲＬ・アドレスを付近の見込み客が自分のケータイ電話に取り込めるよう、ＵＲＬ・アドレス送信専用改造ケータイ電話（１０）も併せ取り付け、効率的に行商しながら、リユース活動を啓蒙し地球温暖化防止（京都議定書）にも貢献している例である。
【００２３】
「図９」の［Ａ］は、不用品展示コーナーユニット（３）を店舗内に設置し、販売促進に使用している例である。［Ｂ］は、屋内用ブラウザー専用パソコン（１）を、ドライブスルーの看板（２）横に設置し、店内の不用品展示コーナーユニット（３）に展示した不用品・フリマ品（４）の商品情報及び店内の特価品、割引サービス品を掲載したホームページ専用掲載部分及び、協賛者の情報を掲載した非専用掲載部分等を前記同様、拡声・拡張・拡大・交互に繰り返し自動表示し、更にそのＵＲＬ（５）及び口座店名（６）等を掲示し、ドライブスルーの顧客（７）にアピールし，更にこのＵＲＬ（５）や口座名（６）を、これら顧客（７）が、自分のケータイ電話に取り込めるよう、ＵＲＬ・アドレス送信専用改造ケータイ電話（８）も併せ取り付け、リユース活動を啓蒙し地球温暖化防止（京都議定書）にも貢献している例である。
【００２４】
「図１０」は、軽トラックに本件ブラウザー専用パソコン（１）を設置したもので、［Ａ］は平面図、［Ｂ］は後部から見た立面図である。ブラウザー専用パソコン（１）は、軽トラック（２）の運転席天井部分（３）に、更にそのプラズマディスプレイ（４）を運転席天井部分（３）にそれぞれ設置し、後続車や、通行人（５）に対し、ホームページ連携営業場所である荷台（６）に車載展示した、新鮮農産物及び食材等（７）の商品情報を掲載したホームページの専用掲載部分と協賛者の情報を掲載したホームページ非専用掲載部分等を、前記同様、拡張・拡大・交互に繰り返し自動表示しながら行商し、更に車両登録番号（８）でアクセスできる当該ホームページのサイトＵＲＬ等（９）を軽トラック荷台後部（１０）及び荷台サイド（１１）に表示し、誰でも手元のケータイ電話（１２）、パソコン等からでも、車載している新鮮農産物及び食材等（７）の情報確認を可能とし、更にそのホームページのＵＲＬ・アドレス（９）を掲示し，これを付近の見込み客が自分のケータイ電話に取り込めるよう、ＵＲＬ・アドレス送信専用改造ケータイ電話（１４）も併せ取り付け、効率的に行商しながら、リユース活動を啓蒙し地球温暖化防止（京都議定書）にも貢献している例である。
【００２５】
「図１１」は、  ＵＲＬ・アドレス送受信機能付新ケータイ電話（１）を，オプションの拡大レンズ兼防護カバー（２）を取り付け、更にバッグ（３）に着脱可能なテープなどを利用し設置されたケータイ電話ポケット（４）に納め、バッグ内に携帯するフリマ品等（５）の商品情報を掲載したホームページ専用掲載部分及び協賛者に関する掲載部分等を、前記同様、拡声・拡張・拡大・交互に繰り返し自動表示しながら行商し、更にそのホームページのＵＲＬ（６）又は登録口座名（７）を併せ掲示し，これを付近の見込み客が自分のケータイ電話に取り込めるよう、このケータイ電話（１）から送信しながら、出会う人全部に、携帯品（５）の詳細内容を掲載したホームページの閲覧をアピールし、効率的に行商しながら、リユース活動を啓蒙し地球温暖化防止（京都議定書）にも貢献している例である。
【００２６】
【実施形態の効果】
この実施形態によれば、新ブラウザー専用パソコンにも、改造ブラウザー専用パソコンにも重いソフトはなく、更に無償ソフトのみで構成されている事から将来にわたりアップグレード費用が不用であり、買換えプレッシャーもなく買換えにより廃棄処分される率は、市販パソコンに比べ格段に低い。ましてハード的改造により屋内、屋外でも使用可能なブラウザー専用パソコンとしての用途拡大が行われ、しかもホームページに掲載される商品又はサービスの提供場所付近において、近隣顧客をターゲットに設置され、知人、友人、常連顧客などの協賛を得やすく、第３者の掲載権を分割販売する機会も多い。又、仕入れが発生しない不用品・フリマ品の取り扱いが加えて考慮されている事から、殆どの家庭、事業所、店舗、移動体、個人でもその関係者の不用品・フリマ品のリユース販売に利用可能であり小遣い稼ぎに利用する主婦も動員できる巨大マーケットが存在する。更に、この第３者の掲載権の販売を強力に促進する管理システムもありこれを有効利用すれば、営業経費の吸収、改造費の捻出或いは償却も可能である。更にこのブラウザー専用パソコンを含む不用品展示コーナーを会社事業所等に設置し、事業所トップがその従業員を総動員し、その家族、その事業所関係者、近隣住民等に不用品のリユースを啓蒙すれば、急速にそのリユースがすすみ、パソコンの再利用のみならずあらゆる不用品の再利用が促進される事も明白である。又このユニットを盛業店舗内に設置し、営業展示場所を持たない近隣住民に委託展示販売の機会を提供すれば、不用品・フリマ品の委託展示依頼が殺到し、当該店舗の顧客は倍増し、本来の売上げにも寄与するであろう事も、容易に予測可能であり、これを設置する店舗にとっては、仕入資金不要の販促手段としてこの上ないものである。まして、その管理方式にもホームページを利用した省力管理システムが用意されており、導入に関する経費増を考慮する必要は全くない。更に、商品購入者の購入意欲を高める福引抽選システムも利用可能であり、物販そのものも強力に促進できる。このシステムが全世界の小売店舗、企業、工場等の職域カフェ等に導入され、不用品の再流通が身近で行われれば、送料を考えるとゴミにしかならない少額品のリユースも促進される事は確実である。
【００２７】
【発明の効果】
以上の通り、このビジネス方法によれば、パソコンのみならずあらゆる不用品がいつでもどこでもリユースされ、ゴミが削減され、その結果、二酸化炭素削減、地球温暖化防止（京都議定書）推進にも貢献できる事は明白であり、社会的意義も大きい。
【図面の簡単な説明】
【図１】長期間使用可能なパソコン及びパソコンを長期間使用できる環境の提供手順
【図２】新ブラウザー専用パソコン、ＵＲＬ・アドレス送受信機能付新ブラウザー専用パソコン、及びＵＲＬ・アドレス送受信機能付新ケータイ電話の例
【図３】市販パソコンをブラウザー専用パソコンに改造するのに要するソフト的改造例、及び市販ケータイ電話をＵＲＬ・アドレス送受信機能付ケータイ電話に改造する為に要するソフト的改造例
【図４】市販パソコンをブラウザー専用パソコンに改造するに要するハード的改造例、及び市販ケータイ電話をＵＲＬ・アドレス送受信機能付改造ケータイ電話に改造するに要するハード的改造例
【図５】自宅内に不用品展示コーナーユニットを設置し屋外にブラウザー専用パソコンを設置した例
【図６】自宅玄関壁にブラウザー専用パソコンモニター部を埋め込み設置、郵便受けにＵＲＬ・アドレス送信専用改造ケータイ電話を設置した例
【図７】盛業店舗の販促用に不用品展示コーナーユニットを設置し営業する例、
【図８】乗用車の後部ウインドー部にブラウザー専用パソコンを設置し拡大フィルムを後部ウインドーに張り付け営業する例
【図９】盛業店舗の販促用に不用品展示コーナーユニットを店内に設置し、ドライブスルー看板横にブラウザーパソコンを掲示し、  ＵＲＬ・アドレス送信専用改造ケータイ電話を設置した例
【図１０】軽トラック天井部分にブラウザー専用パソコンを設置し、特選品、農産物、食材、フリマ品を行商する例
【図１１】歩行者がこもの商品を携帯し、ＵＲＬ・アドレス及びＵＲＬ・アドレス送受信機能付新ケータイ電話を身につけ営業する例
【図１】
2004272417.tif 000003
【図２】
2004272417.tif 000004
【図３】
2004272417.tif 000005
【図４】
2004272417.tif 000006
【図５】
2004272417.tif 000007
【図６】
2004272417.tif 000008
【図７】
2004272417.tif 000009
【図８】
2004272417.tif 000010
【図９】
2004272417.tif 000011
【図１０】
2004272417.tif 000012
【図１１】
2004272417.tif 000013